(57)【特許請求の範囲】
【請求項１】
空気中の水分を凝縮する凝縮器と、前記凝縮器によって凝縮された水を一時的に貯蔵する第１貯水槽と、貯水槽収納部に上方から取り出し自在に配された第２貯水槽と、貯水槽収納部を開閉する蓋と、第１貯水槽から第２貯水槽へ水を導くポンプとを備え、前記第２貯水槽は、上面に開閉弁を備え、前記蓋に、前記ポンプに接続された給水口が設けられ、該給水口は、蓋を閉じた際に前記開閉弁に接続され、前記蓋の裏側に蓋裏板が設けられ、該蓋裏板に前記給水口が配され、前記蓋と蓋裏板との間に、前記給水口をポンプに接続するためのパイプが配されたことを特徴とする除湿機。
【発明の詳細な説明】
【０００１】
【発明の属する技術分野】
本発明は、着脱自在な貯水槽の収納装置に関し、特に除湿機に用いて好適なものである。
【０００２】
【従来の技術】
従来の回転式除湿材を備えた除湿機について図５乃至図７と共に説明する。
【０００３】
図５は従来の除湿ローターを用いた回転式空気除湿システムを説明する説明図、図６は従来の除湿機の正面構成図、図７は従来の除湿機の蓋開閉検知装置の構成説明図である。
【０００４】
まず、図５において、湿度交換器（以下除湿ローターという）３は駆動モーター（図示しない）等で回転されてる。この除湿ローター３の吸湿部３１に湿った被除湿空気３２を除湿ファン６により吹き込み水分を吸湿剤に吸着させて除湿し乾燥された空気３３とする。他方除湿ローター３の水分を吸着した吸湿剤に再生ヒーター３４で加熱され高温となった再生空気３５を送り込み、吸湿剤を加熱して水分を取り出して吸湿剤を再生し、暖かく湿った再生空気３６をとりだす。
【０００５】
上記吸湿剤に水分を吸着させる吸湿部３１と、水分を吸着した吸湿剤を加熱して水分を吐き出させ、再生する再生部３７とは、回転している除湿ローター３に湿った被除湿空気３２と再生ヒーター３４で加熱され高温となった再生空気３５を吹き込む位置がその再生部になるだけで、特に、除湿ローター３に仕切りがあるわけではなく、除湿ローター３は繰り返し連続的に使用できる。また、除湿としても、逆に加湿としても利用できる。
【０００６】
次に図６及び図７により除湿器の構成を説明する。吸湿した除湿ローター３の吸湿剤を再生させるため、電気ヒーターである再生ヒーター３４にて再生空気を２００°Ｃ〜２５０°Ｃに加熱した後、除湿ローター３に再生ファン８により送風する。加熱された再生空気３５は除湿ローター３の吸湿剤から水分を受け取り、暖かく湿った空気３６となり、凝縮器４にて冷却され、水分を結露させて排出する。結露水９は第１貯水槽である水受タンク１０に導かれる。
【０００７】
そして、第２の貯水槽である貯水タンク１２を本体１の貯水槽収納部に収納しようと、まず、蓋２を開けるために、蓋２に連動している連絡棒２５が上方方向に持ち上げられ、引っ張りバネ２６の付勢に抗して、作動板２８と係合している一端が上がる。その結果、作動板２８のマイクロスイッチ２７側の他端は下がり、マイクロスイッチ２７をＯＦＦ状態にして、貯水タンク１２を本体に収納する。
【０００８】
貯水タンク１２を収納し、蓋２を閉めると揚水ポンプ１１の駆動回路のスイッチがＯＮし、水受タンク１０に備えられた水位を検知する不図示のフロートスイッチが、所定の水位を検知すると、揚水ポンプ１１が運転され、揚水パイプ１３を経て、蓋２の裏面に配設されている給水口１５より、貯水タンク１２の開閉弁１９の弁機構部を経て、結露水９が貯水タンク１２に貯えられる。
【０００９】
【発明が解決しようとする課題】
上記従来の除湿器は、蓋２の開閉に連動する連絡棒２５が、収納部内部に設けてあるマイクロスイッチ２７作動用の作動板２８の動きを制御するため、これらの設置に当たっては、連絡棒２５と作動板２８とに微妙な調整が必要なことから煩わしい加工がついてまわる。
【００１０】
また、蓋に直接連動させたスイッチ、例えばマイクロスイッチを設ければ、蓋の周囲や貯水タンクの周辺にスイッチのメカが大小にかかわらず表面に表れ、貯水タンクの出し入れ時に、スイッチのメカに触れたり、変形させたりする恐れがあり、動作不良に至るなどの問題がある。
【００１１】
本発明は、着脱自在なタンク例えば貯水タンクの出し入れなどの使い勝手がよく、しかも、構造面の調整メカを必要としない貯水槽収納装置を提供するもので、特に除湿機に使用して好適である。
【００１２】
本発明の除湿機は上記課題を解決するために、空気中の水分を凝縮する凝縮器と、前記凝縮器によって凝縮された水を一時的に貯蔵する第１貯水槽と、貯水槽収納部に上方から取り出し自在に配された第２貯水槽と、貯水槽収納部を開閉する蓋と、第１貯水槽から第２貯水槽へ水を導くポンプとを備え、前記第２貯水槽は、上面に開閉弁を備え、前記蓋に、前記ポンプに接続された給水口が設けられ、該給水口は、蓋を閉じた際に前記開閉弁に接続され、前記蓋の裏側に蓋裏板が設けられ、該蓋裏板に前記給水口が配され、前記蓋と蓋裏板との間に、前記給水口をポンプに接続するためのパイプが配されたものである。
【００１６】
【発明の実施の形態】
以下、本発明に係る除湿機の実施の形態について図１乃至図４と共に説明するが、上記従来の技術にて記載したものと、同じもの又は同等の機能のものについては、特に記載したものを除き、同じ符号を付して説明する。
【００１７】
図１は本発明の実施の形態に係る除湿機の全体構成説明図、図２は本発明の実施の形態に係る除湿機の蓋と貯水タンク上部の側面図で、主要部品の配置を説明するための概略構成側面図、図３は本発明の実施の形態に係る除湿機の蓋開閉検知装置の概略説明図、図４は本発明の実施の形態に係る除湿機の蓋開閉検知装置の概略取付け説明図である。
【００１８】
図１において、除湿ローター３のエレメントは、ダンボール紙などの帯状のシート状基材にゼオライト（吸湿剤）を溶かした溶剤を含浸して担持させた帯状平面シートの表面に、同じく基材にゼオライト等の吸湿剤を含浸担持させた帯状平面シートからなる高さ１ｍｍ〜１．５ｍｍ程度に波付け加工した波形シートを接着して一体化した片波成形体を巻回し、ローターにしたもので、ハニカムローターと称され、ゼオライト（吸湿剤）を基材の表面は勿論その内部にまで担持させている。
【００１９】
そして、蓋２は図２乃至図４に示すように、正面から見たとき、天板２２の右側に位置し背面側を支点に開閉し、蓋２の裏側には、蓋裏板１６を配設した構造になっている。
【００２０】
また、蓋２の蓋裏板１６には、蓋２の開閉検知装置のマグネット２９が、蓋裏板１６の箱状ボックス３０の中に収められている。蓋裏面１６は蓋２の内側に組立はめ込み、蓋２のツメでカシメ固定される。蓋２の内側のリブ３８はマグネット２９が箱ボックス３０より飛び出すことを防止するものである。
【００２１】
そして、貯水タンク１２への結露水９を送る給水口１５が配設されていて、その給水口１５は、蓋２に内接されている蓋裏板１６に、給水口１５のノズル１７を一体成型し、穴部にパイプ１８を圧入し、接着剤で固定して回り止めを防止している。揚水ポンプ１１からの屈曲性のあるゴム製の揚水パイプ１３を、給水口１５のパイプ１８に接続する。
【００２２】
また、給水口１５のノズル１７は、先端の平坦部は貯水タンク１２の開閉弁１９を押す役目をし、側面部には四方にスリット穴２０が開いている。この給水口１５のノズル１７のスリット穴２０は、蓋２が閉められたときに貯水タンク１２の開閉弁１９の開口面より内面にあけられ、ここから水が流出する。
【００２３】
天板２２の内側には、蓋２の蓋裏板１６のマグネット２９の近傍にリードスイッチ３９を配設したもので、このリードスイッチ３９はモールドタイプになっていて天板２２内側のボスにモールドタイプのリードスイッチ３９の取付け穴を嵌めて止め輪で固定されている。
【００２４】
貯水タンク１２を本体１に収納するために、まず、蓋２を開けると、蓋２の蓋裏板１６に配設されているマグネット２９が天板２２の内側のリードスイッチ３９をＯＦＦした状態となる。この状態で貯水タンク１２を本体に収納する。
【００２５】
また、水受けタンク１０内に一定量以上の凝縮水がためられているのをフロートスイッチ（図示しない）で検知していれば、貯水タンク１２を収納後に、蓋２が閉まると、蓋２の蓋裏板１６に配設されているマグネット２９に天板２２の内側のリードスイッチ３９が感応してＯＮ状態になり、揚水ポンプ１２の駆動開始状態になる。
【００２６】
そして、リードスイッチ３９がＯＮし、マイクロコンピュータ（図示しない）に信号を送り、マイクロコンピュータから揚水ポンプ１２へ駆動信号を送り、蓋２が閉まってから、揚水ポンプ１１が駆動を開始し、水受けタンク１０の水を貯水タンク１２に送り出すシーケンスになっている。
【００２７】
図１および図４に示すように、被除湿空気３２は除湿ファン６に吸引され、フィルター７で粗いゴミを取り去り、凝縮器４を通過し、暖かく湿った凝縮器４内部の再生空気３６を冷却し、再生空気中の水分を結露させる。凝縮器４を通過した被除湿空気３２は除湿ローター３を通過し、吸湿剤に吸湿させ、乾燥空気３３となり、熱回収熱交換器５にて熱回収後、室内に放出される。
【００２８】
また、吸湿した除湿ローター３の吸湿剤を再生させるため、電気ヒーターである再生ヒーター３４にて再生空気を２００°Ｃ〜２５０°Ｃに加熱した後、除湿ローター３に再生ファン８により送風する。加熱された再生空気３５は除湿ローター３の吸湿剤から水分を受け取り、暖かく湿った空気３６となり、凝縮器４にて冷却され、水分を結露させて排出する。
【００２９】
結露水９は水受タンク１０に導かれる。水受タンク１０には水位を検知する不図示のフロートスイッチを備え、所定の水位を検知すると、備えられている揚水ポンプ１１を運転し、揚水パイプ１３を経て、蓋２に併設されている給水口１５より、貯水タンク１２の開閉弁１９の弁機構部を経て、結露水９を貯水タンク１２に貯える。
【００３０】
また、除湿ローター３は駆動モーター（図示しない）で回転されており、被除湿空気３２が通過する吸湿部３１と熱風が通過する再生部３７は少しづつ回転移動しており、吸湿してもまた再生され、連続的に使用可能である。
【００３１】
そして、除湿ローター３に熱風が通過し少しづつ回転移動するため、除湿ローター３は暖められている。ここに被除湿空気３２が通過するため、通過後の暖められた乾燥空気３３より、熱回収熱交換器５に熱を回収する。熱回収熱交換器５の内部には凝縮器４で結露水９を排出した後の再生空気が通過し、暖められた分だけ、再生ヒーター３４の電力を節約できる。再生空気は上記のように閉回路になって、繰り返し使用されている。
【００３２】
なお、本発明は上記実施の形態に限定されるものではない。着脱自在なカートリッジタンクの収納装置として用いられるものであって、蓋の開閉検知手段がカートリッジタンクの着脱時において破損しないようにした点に特徴がある。従って、石油ストーブの油タンクや加湿器の貯水タンク等の収納装置に用いられる。
【００３３】
また、上記除湿器の場合、蓋の裏面に給水口を設けるために蓋裏板を固定するが、その蓋裏板を利用して近接スイッチを設けているので、取り付けが簡単であるばかりでなく貯水タンクの着脱時に破損するようなことがない。
【００３４】
【発明の効果】
本発明に係る除湿機は、蓋の開閉を近接スイッチで行っているため、従来のような蓋の開閉による連動機構の調整が要らない。特に蓋の裏面に当該スイッチを設けると、スイッチの機構部分が貯水タンクの出し入れする収納部分に表れず貯水タンクり出し入れ時などでの引っかけ変形を生じる恐れがない。
【００３５】
近接スイッチとしてリードスイッチを蓋以外の衝撃をうけにくい天板に、蓋には磁性体を配設し、磁性体を蓋の補強リブで押さえた構造により、蓋の開閉時にリードスイッチ自体に衝撃力が加わらず、動作不良を生じることがない。
【図面の簡単な説明】
【図１】本発明の実施の形態に係る除湿機の全体構成図である。
【図２】本発明の実施の形態に係る除湿機の蓋と貯水タンク上部の側面図である。
【図３】本発明の実施の形態に係る除湿機の蓋開閉検知装置の概略説明図である。
【図４】本発明の実施の形態に係る除湿機の蓋開閉検知装置の概略取付け説明図である。
【図５】従来の除湿ローターを用いた回転式空気除湿システムを説明する説明図である。
【図６】従来の除湿機の正面構成図である。
【図７】従来の除湿機の蓋開閉検知装置の構成説明図である。
【符号の説明】
１  本体
２  蓋
３  除湿ローター（回転式除湿材）
４  凝縮器
５  熱回収熱交換器
６  除湿ファン（送風機）
７  フィルター
８  再生ファン
９  結露水
１０  水受タンク
１１  揚水ポンプ
１２  貯水タンク
１３  揚水パイプ
１４  タンクガイド
１５  給水口
１６  蓋裏板
１７  ノズル
１８  パイプ
１９  開閉弁
２０  スリツト穴
２２  天板
２４  （開閉弁１９の）弁棒
２５  連絡棒
２６  引っ張りバネ
２７  マイクロスイッチ
２８  作動板
２９  マグネット（磁性体）
３０  箱状ボックス（蓋裏板１６の）
３１  吸湿部
３２  被除湿空気
３３  乾燥した空気
３４  再生ヒーター
３５  再生空気
３６  湿った再生空気
３７  再生部
３８  リブ（蓋２の）
３９  リードスイッチ
【図１】
0003668627.tif 000002
【図２】
0003668627.tif 000003
【図３】
0003668627.tif 000004
【図４】
0003668627.tif 000005
【図５】
0003668627.tif 000006
【図６】
0003668627.tif 000007
【図７】
0003668627.tif 000008